(57)【要約】【課題】フェイス面に砂抜き用スリットを形成し、打球時に砂を可能な限り掬い上げないようにして飛距離を伸ばすようにしたゴルフクラブヘッドを提供する。【解決手段】ヘッド１０のフェイス面１１には、長さ方向に小間隔をもって縦向きの砂抜き用スリット１２が複数本形成されている。フェイス面１１は、砂抜き用スリット１２で区切られた複数の突出片１１ａが形成されている。砂抜き用スリット１２と一体となってテーパー部１３が形成されている。テーパー部１３は、砂抜き用スリット１２に近づくにしたがって、フェイス面１１より深くなるように形成されている。このようなゴルフクラブヘッドにおいては、打球時において、従来フェイス面１１の全面に当接する砂の内、砂抜き用スリット１２に該当する部分の砂ａが、フェイス面１１に接触することなく砂抜き用スリット１２を通過して行く。【選択図】        図１
2004223117.tif 000002
【特許請求の範囲】
【請求項１】
アイアン又はサンドウェッジのヘッドであって、フェイス面に、ヘッドの長さ方向に小間隔をもって縦向きの砂抜き用スリットが複数本形成されていることを特徴とするゴルフクラブヘッド。
【請求項２】
前記砂抜き用スリットの端部において、フェイス面が連続して一体に形成されている請求項１記載のゴルフクラブヘッド。
【発明の詳細な説明】
【０００１】
【発明の属する技術分野】
本発明は、アイアン又はサンドウェッジのヘッドに関し、さらに詳しくは砂抜き用スリットを形成して飛距離を伸ばすことができるようにしたゴルフクラブヘッドに関するものである。
【０００２】
【従来の技術】
従来、アイアン又はサンドウェッジのヘッド３０は、そのフェイス面３１の全面が孔の無い連続面で形成されている（例えば、特許文献１参照）。
【０００３】
【特許文献１】
特開２００２−３３１０５２号公報（図１）
【０００４】
【発明が解決しようとする課題】
しかしながら、上述したような従来のアイアン又はサンドウェッジをバンカー内で使用すると、打球時にゴルフボールとともに多量の砂を掬い上げることとなっていた。その結果、砂を掬い上げるために力が必要となり、スイングに用いた力の全てをゴルフボールに付与することができず、ゴルフボールの飛距離が伸びないものであった。尚、グリーン回りのバンカーからは、ゴルフボールをあまり遠くまで飛ばす必要がないことが多いが、グリーンから遠い位置にあるバンカーからのショットでは、できるだけ距離を延ばす（グリーンに近づける）ことが有利である。
【０００５】
本発明は、以上の問題点を解決し、フェイス面に砂抜き用スリットを形成し、打球時に砂を可能な限り掬い上げないようにして飛距離を伸ばすようにしたゴルフクラブヘッドを提供することを目的とする。
【０００６】
【課題を解決するための手段】
請求項１に係る発明は、アイアン又はサンドウェッジのヘッドであって、フェイス面に、ヘッドの長さ方向に小間隔をもって縦向きの砂抜き用スリットが複数本形成されていることを特徴としたゴルフクラブヘッドである。
【０００７】
請求項１に係る発明においては、打球時に従来フェイス面で掬い上げる砂の一部が砂抜き用スリットを通過することとなる。したがって、砂から受ける抵抗が小さくなり、砂の掬い上げに取られていた力をゴルフボールに集中させることができる。その結果、ゴルフボールに対する打力が大きくなり、飛距離が長くなる。
【０００８】
請求項２に係る発明は、前記砂抜き用スリットの端部において、フェイス面が連続して一体に形成されているゴルフクラブヘッドである。
【０００９】
請求項２に係る発明においては、砂抜き用スリットの端部において、フェイス面が連続して一体に形成されているので、フェイス面の剛性が大きくなり飛距離が長くなる。
【００１０】
【発明の実施の形態】
本発明のゴルフクラブヘッドは、フェイス面に砂抜き用スリットが形成されている。この砂抜き用スリットは、打球時に砂を通過させて砂の抵抗を可能な限り小さくするものであり、砂の通過する量、フェイス面の剛性等を考慮して、幅及び長さ、数等を適宜変更することができる。また、砂抜き用スリットと連続してテーパー部を形成することが好ましく、テーパー部を形成することにより、砂が円滑に砂抜き用スリットに移動することができる。さらに、砂抜き用スリットの端部において、フェイス面が連続して一体となるように形成することが好ましい。フェイス面を一体とすることにより、フェイス面の剛性を向上させることができ、その結果、飛距離を伸ばすことができる。
【００１１】
本発明によるゴルフクラブヘッドの第１実施形態（請求項１に対応）を図面を参照して説明する。
【００１２】
図１は本発明によるゴルフクラブヘッドの正面図、図２は図１中ＩＩ−ＩＩ線断面図、図３は本発明によるゴルフクラブヘッドの打球時の状態を示す断面図である。
【００１３】
図１及び図２において、１０はヘッドで、このヘッド１０のフェイス面１１には、長さ方向に小間隔をもって縦向きの砂抜き用スリット１２が複数本形成されている。したがって、フェイス面１１は、砂抜き用スリット１２で区切られた複数の突出片１１ａが形成されている。また、砂抜き用スリット１２と一体となってテーパー部１３が形成されており、このテーパー部１３は、砂抜き用スリット１２に近づくにしたがって、フェイス面１１より深くなるように形成されている。尚、この実施形態では、砂抜き用スリット１２の幅が４ｍｍ、突出片１１ａ部分の幅が６ｍｍで、砂抜き用スリット１２が合計６本形成されているが、砂抜き用スリット１２の幅及び本数等は適宜に設計変更することができる。
【００１４】
このようなゴルフクラブヘッドにおいては、図３に示すように、打球時において、従来フェイス面１１の全面に当接する砂の内、砂抜き用スリット１２に該当する部分の砂ａが、フェイス面１１に接触することなく砂抜き用スリット１２を通過して行く。また、テーパー部１３に入り込んだ砂ａは、ヘッド１０の回転により砂抜き用スリット１２に送り出され、砂抜き用スリット１２を通過して行く。
【００１５】
以上のように、従来フェイス面で掬い上げていた砂の内のかなりの部分を、フェイス面１１で掬い上げることなく、砂抜き用スリット１２を通過させているので、砂の掬い上げに要していた力をゴルフボールに利用でき、その結果、飛距離を伸ばすことができる。
【００１６】
本発明によるゴルフクラブヘッドの第２実施形態（請求項２に対応）を図面を参照して説明する。
【００１７】
図４は本発明によるゴルフクラブヘッドの正面図である。この第２実施形態は、前記第１実施形態と同様に、ヘッド２０のフェイス面２１に砂抜き用スリット２２が複数本形成されるとともに、テーパー部２３が形成されている。そして、砂抜き用スリット２２の端部において、フェイス面２１が連続して一体となるように、突出片２２ａの先端部分が連結片２４で一体に連結されている。
【００１８】
このようなゴルフクラブヘッドにおいては、連結片２４で突出片２２ａ間を一体に連結しているので、フェイス面２１全体の剛性が大きく、第１の実施形態に比べて飛距離を長くすることができる。
【００１９】
【発明の効果】
本発明は以上のように構成したので、以下に記載する効果を有する。
（１）請求項１に係る発明によれば、砂抜き用スリットを砂が通過するので、従来に比較してフェイス面で掬い上げる砂の量を少なくすることができ、ゴルフボールの飛距離を伸ばすことができる。
（２）請求項２に係る発明によれば、フェイス面の剛性を大きくすることができるので、より一層飛距離を伸ばすことができる。
【図面の簡単な説明】
【図１】本発明によるゴルフクラブヘッドの一実施形態の正面図である。
【図２】図１のＩＩ−ＩＩ線断面図である。
【図３】本発明によるゴルフクラブヘッドの打球時の状態を示す断面図である。
【図４】本発明によるゴルフクラブヘッドの他の実施形態の正面図である。
【図５】従来のゴルフクラブヘッドの正面図である。
【符号の説明】
１０はヘッド、１１はフェイス面、１１ａは突出片、１２は砂抜き用スリット、１３はテーパー部、２０はヘッド、２１はフェイス面、２１ａは突出片、２２は砂抜き用スリット、２３はテーパー部、２４は連結片である。
【図１】
2004223117.tif 000003
【図２】
2004223117.tif 000004
【図３】
2004223117.tif 000005
【図４】
2004223117.tif 000006
【図５】
2004223117.tif 000007